(57)【特許請求の範囲】
【請求項１】
前面に上下動可能に配置される落下防止柵を設けた収納ラックであって、落下防止柵は両側に上下二本の棒体を設けるようにしてなり、収納ラックの側板の内向きの折り返し縁の内側に前記棒体がスライドする縦溝を形成し、縦溝の上部には少なくとも上部側の棒体が掛け止められる筒溝を連設するようにし、これらを側板の樹脂成形の際に一体に形成するようにしたことを特徴とする落下防止柵を設けた収納ラック。
【請求項２】
請求項１記載の落下防止柵を設けた収納ラックにおいて、収納ラック内が複数段になるよう仕切棚を設け、これら各段の前面に落下防止柵を設けるようにし、上段の落下防止柵をスライドさせる縦溝には二本の棒体の掛け止められる筒溝を連設するようにし、下段の落下防止柵は上部側の棒体が掛け止められる筒溝を連設するようにしたことを特徴とする落下防止柵を設けた収納ラック。
【請求項３】
請求項１又は請求項２記載の落下防止柵を設けた収納ラックにおいて、縦溝と筒溝の間に上向きの顎部を設けて鉤状となるようにしたことを特徴とする落下防止柵を設けた収納ラック。
【発明の詳細な説明】
【０００１】
【発明の属する技術分野】
この発明は、台所のシステムキッチンを構成する吊戸棚の内部に配置され、リンク機構などをもって昇降させるようにした収納ラックに関するものである。
【０００２】
【従来の技術】
従来のこの種の収納ラックでは、特開昭６１−１５４６１０号公報に示されているように、収納ラックの前方に立ち上がり部を形成したものが知られている。
また、特開平７−３０３５３４号公報に示されるように、立ち上がり部に加えて上方に任意の高さに嵌着できるガード体（落下防止柵）を設けるようにし、このガード体（落下防止柵）は前方に倒伏可能としたものが知られている。
これ等の立ち上がり部やガード体は収納ラックが昇降することから、作動時における慣性力や停止時の衝撃によって収納物の落下や毀損を防ぐために設けたものである。
【０００３】
【発明が解決しようとする課題】
しかし、前者では立ち上がり部が低いと効果がなく、高いと収納物の出し入れが面倒になる欠点があった。
また後者では、収納ラック内の収納棚が立ち上がり部を備えたものであるために、出し入れを容易にするにはガード体を倒伏自在として低くできるようにする必要があった。
更に、後者においてはガード体を外側に倒伏させるために側板の前面縁に開放した切欠部を設ける必要があり、強度上、意匠上の問題があった。
【０００４】
【課題を解決するための手段】
この発明はこのような課題を解決するためになされたもので、請求項１の発明は、前面に上下動可能に配置される落下防止柵を設けた収納ラックであって、落下防止柵は両側に上下二本の棒体を設けるようにしてなり、収納ラックの側板の内向きの折り返し縁の内側に前記棒体がスライドする縦溝を形成し、縦溝の上部には少なくとも上部側の棒体が掛け止められる筒溝を連設するようにし、これらを側板の樹脂成形の際に一体に形成するようにしたことを特徴とするものである。
【０００５】
請求項２の発明は、上記発明を前提に、収納ラック内が複数段になるよう仕切棚を設け、これら各段の前面に落下防止柵を設けるようにし、上段の落下防止柵をスライドさせる縦溝には二本の棒体が掛け止められる筒溝を連設するようにし、下段の落下防止柵は上部側の棒体が掛け止められる筒溝を連設するようにしたことを特徴とするものである。
【０００６】
請求項３の発明は、請求項１又は請求項２記載の発明において、縦溝と筒溝の間に上向きの顎部を設けて鉤状となるようにしたことを特徴とするものである。
落下防止柵を設けた収納ラック。
【０００７】
【発明の実施の形態】
以下、図面に示す発明の実施の形態に即して説明する。
図１はこの発明に係わる収納ラック１を示すものである。図示しないが収納ラック１は扉付きの吊戸棚内に収納して昇降自在とするもので、昇降するための手段としては、例えば、吊戸棚内の両側に固定するベース部材と、このベース部材と収納ラック１をアーム機構をもって繋げることで、前縁１４を手で引き下げたり、押し上げたりして上下動させることができるようにしてある。
収納ラック１は弧を描くように、あるいは垂直方向に昇降自在とするような構造を採用することもできるし、上方に配置するもので昇降しないものとしてもよい。
【０００８】
収納ラック１は奥が上げ底となっている底板１１、側板１２、１２、背板１３及び前面下部を塞ぎ、かつ手掛け部となる前縁１４にて上方及び前方が開放する箱体を構成し、ほぼ中央に金属製の棒体を組み合わせて得る仕切棚１５をもって、仕切棚１５上及び底板１１上の上下二段の収納スペースを設けるようにしてある。
【０００９】
落下防止柵１６、１７は金属棒を組み合わせ溶接してなるもので両側には上下に二本の棒体１６ａ，１７ａが所定の間隔をもって伸びるようにしてなり、仕切棚１５の前面及び前縁１４に近接して上下動可能に配置されるものである。
そのため、収納ラック１の側板１２の内側前面には前記棒体１６ａ、１７ａが独立してスライドする縦溝１２１、１２２を形成し、上段の落下防止柵１６用の縦溝１２１には奥に向かって二本の棒体１６ａ、１６ａの掛け止める筒溝１２１ａ、１２１ａを一体に連設してあり、下段の落下防止柵１７用の縦溝１２２の上部には一本の棒体１７ａを掛け止め吊す筒溝１２２ａを設けるようにする。
縦溝１２１、１２２と筒溝１２１ａ、１２２ａとは上部に向いた顎部１２１ｂ、１２２ｂをもって鉤状に連続するようになっており、落下防止柵１６、１７を引っ掛けて容易に外れないようにしてある。
【００１０】
図示の縦溝１２１、１２２及び筒溝１２１ａ、１２２ａは側板１２と一体に樹脂成形の際に形成されるものである。このような構成を採用すれば別途部材を組み付けたりする手間が省け、箱体を組み立てるときに落下防止柵１６、１７を側板１２、１２間に挟むのみで足りる。
そして、これらの縦溝１２１、１２２、筒溝１２１ａ、１２２ａを図示のように側板１２の内向きの折り返し縁の内側に隠れるように配置されているので目立つことなく、落下防止柵１６、１７が収納ラック１を構成する箱体よりでることがないので吊戸棚の扉に挟まったりすることもない。
図示の例では上段の仕切棚１５の前面の落下防止柵１６は、その二本の棒体１６ａ、１６ａを掛け止める筒溝１２１ａ、１２１ａを設けているが、上部の一本の棒体１６ａを掛け止める筒溝のみとしても良い。
収納ラック１が扁平なものや背の高い収納物専用とすれば仕切棚１５は不要となるので底板１１に近い落下防止柵１７のみとすることもできる。
【００１１】
【発明の効果】
以上説明したように、請求項１に係る発明では、落下防止柵は両側に上下二本の棒体を設けるようにしてなり、収納ラックの側板の内向きの折り返し縁の内側に前記棒体がスライドする縦溝を形成し、縦溝の上部には少なくとも上部側の棒体が掛け止められる筒溝を連設するようにしたので、落下防止柵を上下にスライドさせるのみで上昇下降が可能となり極めて操作性が良好となるのである。また、収納ラックの縦溝及び筒溝を樹脂成形の際に側板と一体に形成したので、製作組立が安価かつ容易となり、内側に隠れるように配置されることになるので目立つことがないのである。
【００１２】
請求項２の発明では、収納ラック内が複数段になるよう仕切棚を設け、これら各段の前面に落下防止柵を設けるようにし、上段の落下防止柵をスライドさせる縦溝には二本の棒体が掛け止められる筒溝を連設するようにし、下段の落下防止柵は上部側の棒体が掛け止められる筒溝を連設するようにしたので、同じく夫々の落下防止柵をスライドさせるだけで上昇下降が可能となる。
【００１３】
請求項３の発明では、縦溝と筒溝の間に上向きの顎部を設けて鉤状となるようにしたので、落下防止柵を掛け止めたときに確実に保持されることになる。
【図面の簡単な説明】
【図１】この発明に係る収納ラックの斜視図である。
【図２】落下防止柵を下降させた状態の拡大斜視図である。
【図３】落下防止柵を下降させた状態の断面図である。
【図４】落下防止柵を上昇させた状態の拡大斜視図である。
【図５】落下防止柵を上昇させた状態の断面図である。
【符号の説明】
１  収納ラック
１１  底板
１２  側板
１２１  縦溝
１２１ａ  筒溝
１２１ｂ  顎部
１２２  縦溝
１２２ａ  筒溝
１２２ｂ  顎部
１３  背板
１４  前縁
１５  仕切棚
１６  落下防止柵
１６ａ  棒体
１７  落下防止柵
１７ａ  棒体
【図１】
0004359348.tif 000002
【図２】
0004359348.tif 000003
【図３】
0004359348.tif 000004
【図４】
0004359348.tif 000005
【図５】
0004359348.tif 000006